【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータと前記ビデオデータを復号するためのシンタックス情報とを含むビットストリームを復号することと、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記アクティブパラメータセットＳＥＩメッセージと前記ビデオデータとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータを復号するために前記１つまたは複数のＳＰＳと前記ＶＰＳとをアクティブ化することと、
前記１つまたは複数のアクティブ化されたＳＰＳおよび前記アクティブ化されたＶＰＳに基づいて、前記ビデオデータを復号することと
を備える方法。
【請求項２】
前記アクティブパラメータセットＳＥＩメッセージは複数のＳＰＳを示し、前記１つまたは複数のＳＰＳをアクティブ化することは、前記アクティブパラメータセットＳＥＩメッセージにおける前記複数のＳＰＳの前記指示に基づいて、前記複数のＳＰＳをアクティブ化することを備え、前記１つまたは複数のアクティブ化されたＳＰＳに基づいて、前記ビデオデータを復号することは、前記複数のアクティブ化されたＳＰＳに基づいて、前記ビデオデータを復号することを備える、請求項１に記載の方法。
【請求項３】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータを復号することは、前記レイヤまたはビューの各々に関して、前記レイヤまたはビューに関連する前記ＳＰＳに基づいて、前記レイヤまたはビューの前記ビデオデータを復号することを備える、請求項２に記載の方法。
【請求項４】
前記アクティブパラメータセットＳＥＩメッセージは、前記複数のＳＰＳの第１のＳＰＳを示す第１のシンタックス要素と、前記アクティブパラメータセットＳＥＩメッセージで示される追加ＳＰＳの数を指定する第２のシンタックス要素と、前記追加ＳＰＳをそれぞれ示す１つまたは複数の追加シンタックス要素とを含む、請求項１に記載の方法。
【請求項５】
前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、請求項４に記載の方法。
【請求項６】
前記アクティブパラメータセットＳＥＩメッセージは、前記複数のＳＰＳの数を指定する第１のシンタックス要素と、前記複数のＳＰＳをそれぞれ示す１つまたは複数の追加シンタックス要素とを含む、請求項１に記載の方法。
【請求項７】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項６に記載の方法。
【請求項８】
前記シンタックス情報は、前記１つまたは複数のＳＰＳの指示を除外するバッファリング期間ＳＥＩメッセージをさらに備える、請求項１に記載の方法。
【請求項９】
前記アクティブパラメータセットＳＥＩメッセージは、復号順序で前記アクティブパラメータセットＳＥＩメッセージと前記ビデオデータとを備えるアクセスユニットの前記ビデオデータの第１の部分に先行する、請求項１に記載の方法。
【請求項１０】
前記アクティブパラメータセットＳＥＩメッセージにおける前記１つまたは複数のＳＰＳおよび前記ＶＰＳの前記指示に基づいて、前記ビデオデータを復号するために前記１つまたは複数のＳＰＳと前記ＶＰＳとをアクティブ化することは、
前記アクティブパラメータセットＳＥＩメッセージにおける前記指示に基づいて、前記１つまたは複数のＳＰＳおよび前記ＶＰＳに関するローバイトシーケンスペイロード（ＲＢＳＰ）を識別することと、
前記ＲＢＳＰをそれぞれのビデオデコーダデータ構造にコピーすることと
を備え、
前記１つまたは複数のアクティブ化されたＳＰＳおよび前記アクティブ化されたＶＰＳに基づいて、前記ビデオデータを復号することは、前記ビデオデコーダデータ構造における前記ＲＢＳＰに基づいて、前記ビデオデータを復号することを備える、請求項１に記載の方法。
【請求項１１】
ビデオデータを符号化する方法であって、
ビデオデータと前記ビデオデータを復号するためのシンタックス情報とを含むビットストリームを符号化することと、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記ビットストリームを符号化することは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化することを備える、
前記アクティブパラメータセットＳＥＩメッセージで示される前記１つまたは複数のＳＰＳおよび前記ＶＰＳに基づいて、前記ビデオデータを符号化することと
を備え、
前記アクティブパラメータセットＳＥＩメッセージを含むように前記ビットストリームを符号化することは、ビデオデコーダが前記アクティブパラメータセットＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記ビットストリームを符号化することを備える、方法。
【請求項１２】
前記アクティブパラメータセットＳＥＩメッセージは複数のＳＰＳを示し、前記１つまたは複数のＳＰＳに基づいて、前記ビデオデータを符号化することは、前記複数のＳＰＳに基づいて、前記ビデオデータを符号化することを備え、前記ビデオデコーダが前記１つまたは複数のＳＰＳと前記ＶＰＳとをアクティブ化するように、前記ビットストリームを符号化することは、ビデオデコーダが前記アクティブパラメータセットＳＥＩメッセージにおける前記複数のＳＰＳおよび前記ＶＰＳの前記指示に応答して前記複数のＳＰＳと前記ＶＰＳとをアクティブ化するように、前記ビットストリームを符号化することを備える、請求項１１に記載の方法。
【請求項１３】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータを符号化することは、前記レイヤまたはビューの各々に関して、前記レイヤまたはビューに関連する前記ＳＰＳに基づいて、前記レイヤまたはビューの前記ビデオデータを符号化することを備える、請求項１２に記載の方法。
【請求項１４】
前記ＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、請求項１１に記載の方法。
【請求項１５】
前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、請求項１４に記載の方法。
【請求項１６】
前記アクティブパラメータセットＳＥＩメッセージは、前記複数のＳＰＳの数を指定する第１のシンタックス要素と、前記複数のＳＰＳをそれぞれ示す１つまたは複数の追加シンタックス要素とを含む、請求項１１に記載の方法。
【請求項１７】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項１６に記載の方法。
【請求項１８】
前記シンタックス情報はバッファリング期間ＳＥＩメッセージをさらに備え、前記方法は、前記１つまたは複数のＳＰＳの指示を除外するように、前記バッファリング期間ＳＥＩメッセージを符号化することをさらに備える、請求項１１に記載の方法。
【請求項１９】
前記ビットストリームは複数のアクセスユニットと複数のアクティブパラメータセットＳＥＩメッセージとを備え、前記ビットストリームを符号化することは、バッファリング期間ＳＥＩメッセージを含む前記アクセスユニットの各々が、前記アクティブパラメータセットＳＥＩメッセージのうちの１つも含むように、前記ビットストリームを符号化することを備える、請求項１１に記載の方法。
【請求項２０】
前記ビットストリームを符号化することは、前記アクティブパラメータセットＳＥＩメッセージが、符号化順序で前記ビデオデータと前記アクティブパラメータセットＳＥＩメッセージとを備えるアクセスユニットのビデオデータの第１の部分に先行するように、前記ビットストリームを符号化することを備える、請求項１１に記載の方法。
【請求項２１】
ビデオデコーダを備えるデバイスであって、前記ビデオデコーダは、
ビデオデータと前記ビデオデータを復号するためのシンタックス情報とを含むビットストリームを復号し、ここにおいて前記シンタックス情報はアクティブパラメータセット補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記アクティブパラメータセットＳＥＩメッセージと前記ビデオデータとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータを復号するために前記１つまたは複数のＳＰＳと前記ＶＰＳとをアクティブ化し、
前記１つまたは複数のアクティブ化されたＳＰＳおよび前記アクティブ化されたＶＰＳに基づいて、前記ビデオデータを復号する
ように構成される、デバイス。
【請求項２２】
前記アクティブパラメータセットＳＥＩメッセージは複数のＳＰＳを示し、前記ビデオデコーダは、前記アクティブパラメータセットＳＥＩメッセージにおける前記複数のＳＰＳの前記指示に基づいて、前記複数のＳＰＳをアクティブ化し、前記複数のアクティブ化されたＳＰＳに基づいて、前記ビデオデータを復号するように構成される、請求項２１に記載のデバイス。
【請求項２３】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記レイヤまたはビューの各々に関して、前記ビデオデコーダは、前記レイヤまたはビューに関連する前記ＳＰＳに基づいて、前記レイヤまたはビューの前記ビデオデータを復号するように構成される、請求項２２に記載のデバイス。
【請求項２４】
前記アクティブパラメータセットＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、請求項２１に記載のデバイス。
【請求項２５】
前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、請求項２４に記載のデバイス。
【請求項２６】
前記アクティブパラメータセットＳＥＩメッセージは、前記複数のＳＰＳの数を指定する第１のシンタックス要素と、前記複数のＳＰＳをそれぞれ示す１つまたは複数の追加シンタックス要素とを含む、請求項２１に記載のデバイス。
【請求項２７】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項２６に記載のデバイス。
【請求項２８】
前記シンタックス情報は、前記１つまたは複数のＳＰＳの指示を除外するバッファリング期間ＳＥＩメッセージをさらに備える、請求項２１に記載のデバイス。
【請求項２９】
前記アクティブパラメータセットＳＥＩメッセージは、復号順序で前記ビデオデータと前記アクティブパラメータセットＳＥＩメッセージとを備えるアクセスユニットのビデオデータの第１の部分に先行する、請求項２１に記載のデバイス。
【請求項３０】
前記アクティブパラメータセットＳＥＩメッセージにおける前記１つまたは複数のＳＰＳおよび前記ＶＰＳの前記指示に基づいて、前記ビデオデータを復号するために前記１つまたは複数のＳＰＳと前記ＶＰＳとをアクティブ化するために、前記ビデオデコーダは、
前記アクティブパラメータセットＳＥＩメッセージにおける前記指示に基づいて、前記１つまたは複数のＳＰＳおよび前記ＶＰＳに関するローバイトシーケンスペイロード（ＲＢＳＰ）を識別し、
前記ＲＢＳＰをそれぞれのビデオデコーダデータ構造にコピーする
ように構成され、
前記ビデオデコーダは、前記ビデオデコーダデータ構造における前記ＲＢＳＰに基づいて、前記ビデオデータを復号するように構成される、請求項２１に記載のデバイス。
【請求項３１】
前記ビデオデコーダを実装する集積回路、
前記ビデオデコーダを実装するマイクロプロセッサ、および
前記ビデオデコーダを含むワイヤレス通信デバイス
のうちの少なくとも１つを備える、請求項２１に記載のデバイス。
【請求項３２】
ビデオエンコーダを備えるデバイスであって、前記ビデオエンコーダは、
ビデオデータと前記ビデオデータを復号するためのシンタックス情報とを含むビットストリームを符号化し、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記ビデオエンコーダは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化するように構成される、
前記アクティブパラメータセットＳＥＩメッセージで示される前記１つまたは複数のＳＰＳおよび前記ＶＰＳに基づいて、前記ビデオデータを符号化する
ように構成され、
前記ビデオエンコーダは、ビデオデコーダが前記アクティブパラメータセットＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記アクティブパラメータセットＳＥＩメッセージを含むように前記ビットストリームを符号化する、デバイス。
【請求項３３】
前記アクティブパラメータセットＳＥＩメッセージは複数のＳＰＳを示し、前記ビデオエンコーダは、前記複数のＳＰＳに基づいて、前記ビデオデータを符号化するように構成され、前記ビデオエンコーダは、前記ビデオデコーダが前記アクティブパラメータセットＳＥＩメッセージにおける前記複数のＳＰＳの前記指示に応答して前記複数のＳＰＳをアクティブ化するように、前記ビットストリームを符号化する、請求項３２に記載のデバイス。
【請求項３４】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記レイヤまたはビューの各々に関して、前記ビデオエンコーダは、前記レイヤまたはビューに関連する前記ＳＰＳに基づいて、前記レイヤまたはビューの前記ビデオデータを符号化するように構成される、請求項３３に記載のデバイス。
【請求項３５】
前記アクティブパラメータセットＳＥＩメッセージは、前記複数のＳＰＳの第１のＳＰＳを示す第１のシンタックス要素と、前記アクティブパラメータセットＳＥＩメッセージで示される追加ＳＰＳの数を指定する第２のシンタックス要素と、前記追加ＳＰＳをそれぞれ示す１つまたは複数の追加シンタックス要素とを含む、請求項３２に記載のデバイス。
【請求項３６】
前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、請求項３５に記載のデバイス。
【請求項３７】
前記アクティブパラメータセットＳＥＩメッセージは、前記複数のＳＰＳの数を指定する第１のシンタックス要素と、前記複数のＳＰＳをそれぞれ示す１つまたは複数の追加シンタックス要素とを含む、請求項３２に記載のデバイス。
【請求項３８】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項３７に記載のデバイス。
【請求項３９】
前記シンタックス情報はバッファリング期間ＳＥＩメッセージをさらに備え、前記ビデオエンコーダは、前記１つまたは複数のＳＰＳの指示を除外するように、前記バッファリング期間ＳＥＩメッセージを符号化するように構成される、請求項３２に記載のデバイス。
【請求項４０】
前記ビットストリームは複数のアクセスユニットと複数のアクティブパラメータセットＳＥＩメッセージとを備え、前記ビデオエンコーダは、バッファリング期間ＳＥＩメッセージを含む前記アクセスユニットの各々が、前記アクティブパラメータセットＳＥＩメッセージのうちの１つも含むように、前記ビットストリームを符号化するように構成される、請求項３２に記載のデバイス。
【請求項４１】
前記ビデオエンコーダは、前記アクティブパラメータセットＳＥＩメッセージが、符号化順序で前記ビデオデータと前記アクティブパラメータセットＳＥＩメッセージとを備えるアクセスユニットのビデオデータの第１の部分に先行するように、前記ビットストリームを符号化するように構成される、請求項３２に記載のデバイス。
【請求項４２】
前記ビデオエンコーダを実装する集積回路、
前記ビデオエンコーダを実装するマイクロプロセッサ、および
前記ビデオエンコーダを含むワイヤレス通信デバイス
のうちの少なくとも１つを備える、請求項３２に記載のデバイス。
【請求項４３】
ビデオデータをコーディングするためのデバイスであって、
ビデオデータと前記ビデオデータを復号するためのシンタックス情報とを含むビットストリームをコーディングするための手段と、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記ビデオデータと前記アクティブパラメータセットＳＥＩメッセージとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータをコーディングするために前記１つまたは複数のＳＰＳと前記ＶＰＳとをアクティブ化するための手段と、
前記１つまたは複数のアクティブ化されたＳＰＳおよび前記アクティブ化されたＶＰＳに基づいて、前記ビデオデータをコーディングするための手段と
を備えるデバイス。
【請求項４４】
前記アクティブパラメータセットＳＥＩメッセージは複数のＳＰＳを示し、前記１つまたは複数のＳＰＳをアクティブ化するための前記手段は、前記アクティブパラメータセットＳＥＩメッセージにおける前記複数のＳＰＳの前記指示に基づいて、前記複数のＳＰＳをアクティブ化するための手段を備え、前記１つまたは複数のＳＰＳに基づいて、アクセスユニットの前記ビデオデータをコーディングするための前記手段は、前記複数のＳＰＳに基づいて、前記アクセスユニットの前記ビデオデータをコーディングするための手段を備える、請求項４３に記載のデバイス。
【請求項４５】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータをコーディングするための前記手段は、前記レイヤまたはビューの各々に関して、前記レイヤまたはビューに関連する前記ＳＰＳに基づいて、前記レイヤまたはビューの前記ビデオデータをコーディングするための手段を備える、請求項４４に記載のデバイス。
【請求項４６】
前記ビットストリームをコーディングするための前記手段は、前記ビットストリームを復号するための手段を備え、前記ビデオデータをコーディングするための前記手段は、前記ビデオデータを復号するための手段を備える、請求項４３に記載のデバイス。
【請求項４７】
前記ビットストリームをコーディングするための前記手段は、前記ビットストリームを符号化するための手段を備え、前記ビデオデータをコーディングするための前記手段は、前記ビデオデータを符号化するための手段を備える、請求項４３に記載のデバイス。
【請求項４８】
命令を記憶したコンピュータ可読記憶媒体であって、前記命令は、ビデオコーダの１つまたは複数のプロセッサによって実行されたときに、前記ビデオコーダに、
ビデオデータと前記ビデオデータを復号するためのシンタックス情報とを含むビットストリームをコーディングさせ、ここにおいて前記シンタックス情報はアクティブパラメータセット補足エンハンスメント情報（ＳＥＩ）メッセージを備え、ここにおいて前記アクティブパラメータセットＳＥＩメッセージは１つまたは複数のシーケンスパラメータセット（ＳＰＳ）とビデオパラメータセット（ＶＰＳ）とを示し、ここにおいて前記アクティブパラメータセットＳＥＩメッセージは、前記ビデオデータと前記アクティブパラメータセットＳＥＩメッセージとを備えるアクセスユニットの第１のＳＥＩネットワークアブストラクションレイヤユニットにおける第１のＳＥＩメッセージである、
前記アクティブパラメータセットＳＥＩメッセージにおける前記１つまたは複数のＳＰＳおよび前記ＶＰＳの指示に基づいて、前記ビデオデータをコーディングするために前記１つまたは複数のＳＰＳと前記ＶＰＳとをアクティブ化させ、
前記１つまたは複数のアクティブ化されたＳＰＳおよび前記アクティブ化されたＶＰＳに基づいて、前記ビデオデータをコーディングさせる、コンピュータ可読記憶媒体。
【請求項４９】
前記ＳＥＩメッセージは複数のＳＰＳを示し、前記ビデオコーダに、前記１つまたは複数のＳＰＳをアクティブ化させる前記命令は、前記ビデオコーダに、前記アクティブパラメータセットＳＥＩメッセージにおける前記複数のＳＰＳの前記指示に基づいて、前記複数のＳＰＳをアクティブ化させる命令を備え、前記ビデオコーダに、前記１つまたは複数のＳＰＳに基づいて、アクセスユニットの前記ビデオデータをコーディングさせる前記命令は、前記ビデオコーダに、前記複数のＳＰＳに基づいて、前記アクセスユニットの前記ビデオデータをコーディングさせる命令を備える、請求項４８に記載のコンピュータ可読記憶媒体。
【請求項５０】
前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記ビデオコーダに、前記複数のＳＰＳに基づいて、前記ビデオデータをコーディングさせる前記命令は、前記ビデオコーダに、前記レイヤまたはビューの各々に関して、前記レイヤまたはビューに関連する前記ＳＰＳに基づいて、前記レイヤまたはビューの前記ビデオデータをコーディングさせる命令を備える、請求項４９に記載のコンピュータ可読記憶媒体。
【請求項５１】
前記ビデオコーダに、前記ビットストリームをコーディングさせる前記命令は、前記ビデオコーダに、前記ビットストリームを復号させる命令を備え、前記ビデオコーダに、前記ビデオデータをコーディングさせる前記命令は、前記ビデオコーダに、前記ビデオデータを復号させる命令を備える、請求項４８に記載のコンピュータ可読記憶媒体。
【請求項５２】
前記ビデオコーダに、前記ビットストリームをコーディングさせる前記命令は、前記ビデオコーダに、前記ビットストリームを符号化させる命令を備え、前記ビデオコーダに、前記ビデオデータをコーディングさせる前記命令は、前記ビデオコーダに、前記ビデオデータを符号化させる命令を備える、請求項４８に記載のコンピュータ可読記憶媒体。
【手続補正２】
【補正対象書類名】明細書
【補正対象項目名】０１９７
【補正方法】変更
【補正の内容】
【０１９７】
[0204]  様々な例について説明してきた。これらおよび他の例は、以下の特許請求の範囲内である。
以下に本願発明の当初の特許請求の範囲に記載された発明を付記する。
[Ｃ１]  ビデオデータを復号する方法であって、
ビデオデータと前記ビデオデータを復号するためのシンタックス情報とを含むビットストリームを復号することと、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージにおける前記１つまたは複数のＳＰＳおよび前記ＶＰＳの指示に基づいて、前記ビデオデータを復号するために前記１つまたは複数のＳＰＳと前記ＶＰＳとをアクティブ化することと、
前記１つまたは複数のアクティブ化されたＳＰＳおよび前記アクティブ化されたＶＰＳに基づいて、前記ビデオデータを復号することと
を備える方法。
[Ｃ２]  前記ＳＥＩメッセージは複数のＳＰＳを示し、前記１つまたは複数のＳＰＳをアクティブ化することは、前記ＳＥＩメッセージにおける前記複数のＳＰＳの前記指示に基づいて、前記複数のＳＰＳをアクティブ化することを備え、前記１つまたは複数のアクティブ化されたＳＰＳに基づいて、前記ビデオデータを復号することは、前記複数のアクティブ化されたＳＰＳに基づいて、前記ビデオデータを復号することを備える、Ｃ１に記載の方法。
[Ｃ３]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータを復号することは、前記レイヤまたはビューの各々に関して、前記レイヤまたはビューに関連する前記ＳＰＳに基づいて、前記レイヤまたはビューの前記ビデオデータを復号することを備える、Ｃ２に記載の方法。
[Ｃ４]  前記ＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、Ｃ１に記載の方法。
[Ｃ５]  前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、Ｃ４に記載の方法。
[Ｃ６]  前記ＳＥＩメッセージは、前記複数のＳＰＳの数を指定する第１のシンタックス要素と、前記複数のＳＰＳをそれぞれ示す１つまたは複数の追加シンタックス要素とを含む、Ｃ１に記載の方法。
[Ｃ７]  前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、Ｃ６に記載の方法。
[Ｃ８]  前記ＳＥＩメッセージはアクティブパラメータセットＳＥＩメッセージを備える、Ｃ１に記載の方法。
[Ｃ９]  前記シンタックス情報は、前記１つまたは複数のＳＰＳの指示を除外するバッファリング期間ＳＥＩメッセージをさらに備える、Ｃ８に記載の方法。
[Ｃ１０]  前記アクティブパラメータセットＳＥＩメッセージは、前記アクティブパラメータセットＳＥＩメッセージと前記ビデオデータとを備えるアクセスユニットの第１のＳＥＩネットワークアブストラクションレイヤユニットにおける第１のＳＥＩメッセージである、Ｃ８に記載の方法。
[Ｃ１１]  前記アクティブパラメータセットＳＥＩメッセージは、復号順序で前記アクティブパラメータセットＳＥＩメッセージと前記ビデオデータとを備えるアクセスユニットの前記ビデオデータの第１の部分に先行する、Ｃ８に記載の方法。
[Ｃ１２]  前記ＳＥＩメッセージはバッファリング期間ＳＥＩメッセージを備える、Ｃ１に記載の方法。
[Ｃ１３]  前記ビットストリームは、前記ビデオデータと前記バッファリング期間ＳＥＩメッセージとを備えるアクセスユニットのためのアクティブパラメータセットＳＥＩメッセージを含まない、Ｃ１２に記載の方法。
[Ｃ１４]  前記バッファリング期間ＳＥＩメッセージは仮想参照デコーダパラメータをさらに備える、Ｃ１２に記載の方法。
[Ｃ１５]  前記ＳＥＩメッセージにおける前記１つまたは複数のＳＰＳおよび前記ＶＰＳの前記指示に基づいて、前記ビデオデータを復号するために前記１つまたは複数のＳＰＳと前記ＶＰＳとをアクティブ化することは、
前記ＳＥＩメッセージにおける前記指示に基づいて、前記１つまたは複数のＳＰＳおよび前記ＶＰＳに関するローバイトシーケンスペイロード（ＲＢＳＰ）を識別することと、
前記ＲＢＳＰをそれぞれのビデオデコーダデータ構造にコピーすることと
を備え、
前記１つまたは複数のアクティブ化されたＳＰＳおよび前記アクティブ化されたＶＰＳに基づいて、前記ビデオデータを復号することは、前記ビデオデコーダデータ構造における前記ＲＢＳＰに基づいて、前記ビデオデータを復号することを備える、Ｃ１に記載の方法。
[Ｃ１６]  ビデオデータを符号化する方法であって、
ビデオデータと前記ビデオデータを復号するためのシンタックス情報とを含むビットストリームを符号化することと、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージで示される前記１つまたは複数のＳＰＳおよび前記ＶＰＳに基づいて、前記ビデオデータを符号化することと
を備え、
前記ＳＥＩメッセージを含むように前記ビットストリームを符号化することは、ビデオデコーダが前記ＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記ビットストリームを符号化することを備える、方法。
[Ｃ１７]  前記ＳＥＩメッセージは複数のＳＰＳを示し、前記１つまたは複数のＳＰＳに基づいて、前記ビデオデータを符号化することは、前記複数のＳＰＳに基づいて、前記ビデオデータを符号化することを備え、前記ビデオデコーダが前記１つまたは複数のＳＰＳと前記ＶＰＳとをアクティブ化するように、前記ビットストリームを符号化することは、ビデオデコーダが前記ＳＥＩメッセージにおける前記複数のＳＰＳおよび前記ＶＰＳの前記指示に応答して前記複数のＳＰＳと前記ＶＰＳとをアクティブ化するように、前記ビットストリームを符号化することを備える、Ｃ１６に記載の方法。
[Ｃ１８]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータを符号化することは、前記レイヤまたはビューの各々に関して、前記レイヤまたはビューに関連する前記ＳＰＳに基づいて、前記レイヤまたはビューの前記ビデオデータを符号化することを備える、Ｃ１７に記載の方法。
[Ｃ１９]  前記ＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、Ｃ１６に記載の方法。
[Ｃ２０]  前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、Ｃ１９に記載の方法。
[Ｃ２１]  前記ＳＥＩメッセージは、前記複数のＳＰＳの数を指定する第１のシンタックス要素と、前記複数のＳＰＳをそれぞれ示す１つまたは複数の追加シンタックス要素とを含む、Ｃ１６に記載の方法。
[Ｃ２２]  前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、Ｃ２１に記載の方法。
[Ｃ２３]  前記ＳＥＩメッセージはアクティブパラメータセットＳＥＩメッセージを備える、Ｃ１６に記載の方法。
[Ｃ２４]  前記シンタックス情報はバッファリング期間ＳＥＩメッセージをさらに備え、前記方法は、前記１つまたは複数のＳＰＳの指示を除外するように、前記バッファリング期間ＳＥＩメッセージを符号化することをさらに備える、Ｃ２３に記載の方法。
[Ｃ２５]
前記ビットストリームを符号化することは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化することを備える、Ｃ２３に記載の方法。
[Ｃ２６]  前記ビットストリームは複数のアクセスユニットと複数のアクティブパラメータセットＳＥＩメッセージとを備え、前記ビットストリームを符号化することは、バッファリング期間ＳＥＩメッセージを含む前記アクセスユニットの各々が、前記アクティブパラメータセットＳＥＩメッセージのうちの１つも含むように、前記ビットストリームを符号化することを備える、Ｃ２３に記載の方法。
[Ｃ２７]  前記ビットストリームを符号化することは、前記アクティブパラメータセットＳＥＩメッセージが、符号化順序で前記ビデオデータと前記アクティブパラメータセットＳＥＩメッセージとを備えるアクセスユニットのビデオデータの第１の部分に先行するように、前記ビットストリームを符号化することを備える、Ｃ２３に記載の方法。
[Ｃ２８]  前記ＳＥＩメッセージはバッファリング期間ＳＥＩメッセージを備える、Ｃ１６に記載の方法。
[Ｃ２９]  前記ビットストリームを符号化することは、前記ビデオデータと前記バッファリング期間ＳＥＩメッセージとを備えるアクセスユニットのためのアクティブパラメータセットＳＥＩメッセージを除外するように前記ビットストリームを符号化することを備える、Ｃ２８に記載の方法。
[Ｃ３０]  前記バッファリング期間ＳＥＩメッセージは仮想参照デコーダパラメータをさらに備える、Ｃ２８に記載の方法。
[Ｃ３１]  ビデオデコーダを備えるデバイスであって、前記ビデオデコーダは、
ビデオデータと前記ビデオデータを復号するためのシンタックス情報とを含むビットストリームを復号し、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージにおける前記１つまたは複数のＳＰＳおよび前記ＶＰＳの指示に基づいて、前記ビデオデータを復号するために前記１つまたは複数のＳＰＳと前記ＶＰＳとをアクティブ化し、
前記１つまたは複数のアクティブ化されたＳＰＳおよび前記アクティブ化されたＶＰＳに基づいて、前記ビデオデータを復号する
ように構成される、デバイス。
[Ｃ３２]  前記ＳＥＩメッセージは複数のＳＰＳを示し、前記ビデオデコーダは、前記ＳＥＩメッセージにおける前記複数のＳＰＳの前記指示に基づいて、前記複数のＳＰＳをアクティブ化し、前記複数のアクティブ化されたＳＰＳに基づいて、前記ビデオデータを復号するように構成される、Ｃ３１に記載のデバイス。
[Ｃ３３]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記レイヤまたはビューの各々に関して、前記ビデオデコーダは、前記レイヤまたはビューに関連する前記ＳＰＳに基づいて、前記レイヤまたはビューの前記ビデオデータを復号するように構成される、Ｃ３２に記載のデバイス。
[Ｃ３４]  前記ＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、Ｃ３１に記載のデバイス。
[Ｃ３５]  前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、Ｃ３４に記載のデバイス。
[Ｃ３６]  前記ＳＥＩメッセージは、前記複数のＳＰＳの数を指定する第１のシンタックス要素と、前記複数のＳＰＳをそれぞれ示す１つまたは複数の追加シンタックス要素とを含む、Ｃ３１に記載のデバイス。
[Ｃ３７]  前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、Ｃ３６に記載のデバイス。
[Ｃ３８]  前記ＳＥＩメッセージはアクティブパラメータセットＳＥＩメッセージを備える、Ｃ３１に記載のデバイス。
[Ｃ３９]  前記シンタックス情報は、前記１つまたは複数のＳＰＳの指示を除外するバッファリング期間ＳＥＩメッセージをさらに備える、Ｃ３８に記載のデバイス。
[Ｃ４０]  前記アクティブパラメータセットＳＥＩメッセージは、前記ビデオデータと前記アクティブパラメータセットＳＥＩメッセージとを備えるアクセスユニットの第１のＳＥＩネットワークアブストラクションレイヤユニットにおける第１のＳＥＩメッセージである、Ｃ３８に記載のデバイス。
[Ｃ４１]  前記アクティブパラメータセットＳＥＩメッセージは、復号順序で前記ビデオデータと前記アクティブパラメータセットＳＥＩメッセージとを備えるアクセスユニットのビデオデータの第１の部分に先行する、Ｃ３８に記載のデバイス。
[Ｃ４２]  前記ＳＥＩメッセージはバッファリング期間ＳＥＩメッセージを備える、Ｃ３１に記載のデバイス。
[Ｃ４３]  前記ビットストリームは、前記ビデオデータと前記バッファリング期間ＳＥＩメッセージとを備えるアクセスユニットのためのアクティブパラメータセットＳＥＩメッセージを含まない、Ｃ４２に記載のデバイス。
[Ｃ４４]  前記バッファリング期間ＳＥＩメッセージは仮想参照デコーダパラメータをさらに備える、Ｃ４２に記載のデバイス。
[Ｃ４５]  前記ＳＥＩメッセージにおける前記１つまたは複数のＳＰＳおよび前記ＶＰＳの前記指示に基づいて、前記ビデオデータを復号するために前記１つまたは複数のＳＰＳと前記ＶＰＳとをアクティブ化するために、前記ビデオデコーダは、
前記ＳＥＩメッセージにおける前記指示に基づいて、前記１つまたは複数のＳＰＳおよび前記ＶＰＳに関するローバイトシーケンスペイロード（ＲＢＳＰ）を識別し、
前記ＲＢＳＰをそれぞれのビデオデコーダデータ構造にコピーする
ように構成され、
前記ビデオデコーダは、前記ビデオデコーダデータ構造における前記ＲＢＳＰに基づいて、前記ビデオデータを復号するように構成される、Ｃ３１に記載のデバイス。
[Ｃ４６]  前記ビデオデコーダを実装する集積回路、
前記ビデオデコーダを実装するマイクロプロセッサ、および
前記ビデオデコーダを含むワイヤレス通信デバイス
のうちの少なくとも１つを備える、Ｃ３１に記載のデバイス。
[Ｃ４７]  ビデオエンコーダを備えるデバイスであって、前記ビデオエンコーダは、
ビデオデータと前記ビデオデータを復号するためのシンタックス情報とを含むビットストリームを符号化し、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージで示される前記１つまたは複数のＳＰＳおよび前記ＶＰＳに基づいて、前記ビデオデータを符号化する
ように構成され、
前記ビデオエンコーダは、ビデオデコーダが前記ＳＥＩメッセージにおける前記１つまたは複数のＳＰＳおよび前記ＶＰＳの指示に応答して前記ビデオデータを復号するために前記１つまたは複数のＳＰＳと前記ＶＰＳとをアクティブ化するように、前記ＳＥＩメッセージを含むように前記ビットストリームを符号化する、デバイス。
[Ｃ４８]  前記ＳＥＩメッセージは複数のＳＰＳを示し、前記ビデオエンコーダは、前記複数のＳＰＳに基づいて、前記ビデオデータを符号化するように構成され、前記ビデオエンコーダは、前記ビデオデコーダが前記ＳＥＩメッセージにおける前記複数のＳＰＳの前記指示に応答して前記複数のＳＰＳをアクティブ化するように、前記ビットストリームを符号化する、Ｃ４７に記載のデバイス。
[Ｃ４９]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記レイヤまたはビューの各々に関して、前記ビデオエンコーダは、前記レイヤまたはビューに関連する前記ＳＰＳに基づいて、前記レイヤまたはビューの前記ビデオデータを符号化するように構成される、Ｃ４８に記載のデバイス。
[Ｃ５０]  前記ＳＥＩメッセージは、前記複数のＳＰＳの第１のＳＰＳを示す第１のシンタックス要素と、前記ＳＥＩメッセージで示される追加ＳＰＳの数を指定する第２のシンタックス要素と、前記追加ＳＰＳをそれぞれ示す１つまたは複数の追加シンタックス要素とを含む、Ｃ４７に記載のデバイス。
[Ｃ５１]  前記第１のシンタックス要素は、ａｃｔｉｖｅ＿ｓｅｑ＿ｐａｒａｍ＿ｓｅｔ＿ｉｄシンタックス要素を備え、前記第２のシンタックス要素は、ｎｕｍ＿ａｄｄｉｔｉｏｎａｌ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｄｄｉｔｉｏｎａｌ＿ａｃｔｉｖｅ＿ｓｐｓ＿ｉｄ［ｉ］シンタックス要素を備える、Ｃ５０に記載のデバイス。
[Ｃ５２]  前記ＳＥＩメッセージは、前記複数のＳＰＳの数を指定する第１のシンタックス要素と、前記複数のＳＰＳをそれぞれ示す１つまたは複数の追加シンタックス要素とを含む、Ｃ４７に記載のデバイス。
[Ｃ５３]  前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、Ｃ５２に記載のデバイス。
[Ｃ５４]  前記ＳＥＩメッセージはアクティブパラメータセットＳＥＩメッセージを備える、Ｃ４７に記載のデバイス。
[Ｃ５５]  前記シンタックス情報はバッファリング期間ＳＥＩメッセージをさらに備え、前記ビデオエンコーダは、前記１つまたは複数のＳＰＳの指示を除外するように、前記バッファリング期間ＳＥＩメッセージを符号化するように構成される、Ｃ５４に記載のデバイス。
[Ｃ５６]  前記ビデオエンコーダは、前記アクティブパラメータセットＳＥＩメッセージが、前記ビデオデータと前記アクティブパラメータセットＳＥＩメッセージとを備えるアクセスユニットの第１のＳＥＩネットワークアブストラクションレイヤユニットにおける第１のＳＥＩメッセージとなるように、前記ビットストリームを符号化するように構成される、Ｃ５４に記載のデバイス。
[Ｃ５７]  前記ビットストリームは複数のアクセスユニットと複数のアクティブパラメータセットＳＥＩメッセージとを備え、前記ビデオエンコーダは、バッファリング期間ＳＥＩメッセージを含む前記アクセスユニットの各々が、前記アクティブパラメータセットＳＥＩメッセージのうちの１つも含むように、前記ビットストリームを符号化するように構成される、Ｃ５４に記載のデバイス。
[Ｃ５８]  前記ビデオエンコーダは、前記アクティブパラメータセットＳＥＩメッセージが、符号化順序で前記ビデオデータと前記アクティブパラメータセットＳＥＩメッセージとを備えるアクセスユニットのビデオデータの第１の部分に先行するように、前記ビットストリームを符号化するように構成される、Ｃ５４に記載のデバイス。
[Ｃ５９]  前記ＳＥＩメッセージはバッファリング期間ＳＥＩメッセージを備える、Ｃ４７に記載のデバイス。
[Ｃ６０]  前記ビデオエンコーダは、前記ビデオデータと前記バッファリング期間ＳＥＩメッセージとを備えるアクセスユニットのためのアクティブパラメータセットＳＥＩメッセージを除外するように前記ビットストリームを符号化するように構成される、Ｃ５９に記載のデバイス。
[Ｃ６１]  前記バッファリング期間ＳＥＩメッセージは仮想参照デコーダパラメータをさらに備える、Ｃ５９に記載のデバイス。
[Ｃ６２]  前記ビデオエンコーダを実装する集積回路、
前記ビデオエンコーダを実装するマイクロプロセッサ、および
前記ビデオエンコーダを含むワイヤレス通信デバイス
のうちの少なくとも１つを備える、Ｃ４７に記載のデバイス。
[Ｃ６３]  ビデオデータをコーディングするためのデバイスであって、
ビデオデータと前記ビデオデータを復号するためのシンタックス情報とを含むビットストリームをコーディングするための手段と、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージにおける前記１つまたは複数のＳＰＳおよび前記ＶＰＳの指示に基づいて、前記ビデオデータをコーディングするために前記１つまたは複数のＳＰＳと前記ＶＰＳとをアクティブ化するための手段と、
前記１つまたは複数のアクティブ化されたＳＰＳおよび前記アクティブ化されたＶＰＳに基づいて、前記ビデオデータをコーディングするための手段と
を備えるデバイス。
[Ｃ６４]  前記ＳＥＩメッセージは複数のＳＰＳを示し、前記１つまたは複数のＳＰＳをアクティブ化するための前記手段は、前記ＳＥＩメッセージにおける前記複数のＳＰＳの前記指示に基づいて、前記複数のＳＰＳをアクティブ化するための手段を備え、前記１つまたは複数のＳＰＳに基づいて、アクセスユニットの前記ビデオデータをコーディングするための前記手段は、前記複数のＳＰＳに基づいて、前記アクセスユニットの前記ビデオデータをコーディングするための手段を備える、Ｃ６３に記載のデバイス。
[Ｃ６５]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記複数のＳＰＳに基づいて、前記ビデオデータをコーディングするための前記手段は、前記レイヤまたはビューの各々に関して、前記レイヤまたはビューに関連する前記ＳＰＳに基づいて、前記レイヤまたはビューの前記ビデオデータをコーディングするための手段を備える、Ｃ６４に記載のデバイス。
[Ｃ６６]  前記ＳＥＩメッセージはアクティブパラメータセットＳＥＩメッセージを備える、Ｃ６３に記載のデバイス。
[Ｃ６７]  前記ＳＥＩメッセージはバッファリング期間ＳＥＩメッセージを備える、Ｃ６３に記載のデバイス。
[Ｃ６８]  前記ビットストリームをコーディングするための前記手段は、前記ビットストリームを復号するための手段を備え、前記ビデオデータをコーディングするための前記手段は、前記ビデオデータを復号するための手段を備える、Ｃ６３に記載のデバイス。
[Ｃ６９]  前記ビットストリームをコーディングするための前記手段は、前記ビットストリームを符号化するための手段を備え、前記ビデオデータをコーディングするための前記手段は、前記ビデオデータを符号化するための手段を備える、Ｃ６３に記載のデバイス。
[Ｃ７０]  命令を記憶したコンピュータ可読記憶媒体であって、前記命令は、ビデオコーダの１つまたは複数のプロセッサによって実行されたときに、前記ビデオコーダに、
ビデオデータと前記ビデオデータを復号するためのシンタックス情報とを含むビットストリームをコーディングさせ、ここにおいて前記シンタックス情報は補足エンハンスメント情報（ＳＥＩ）メッセージを備え、ここにおいて前記ＳＥＩメッセージは１つまたは複数のシーケンスパラメータセット（ＳＰＳ）とビデオパラメータセット（ＶＰＳ）とを示す、
前記ＳＥＩメッセージにおける前記１つまたは複数のＳＰＳおよび前記ＶＰＳの指示に基づいて、前記ビデオデータをコーディングするために前記１つまたは複数のＳＰＳと前記ＶＰＳとをアクティブ化させ、
前記１つまたは複数のＳＰＳおよび前記ＶＰＳに基づいて、前記ビデオデータをコーディングさせる、コンピュータ可読記憶媒体。
[Ｃ７１]  前記ＳＥＩメッセージは複数のＳＰＳを示し、前記ビデオコーダに、前記１つまたは複数のＳＰＳをアクティブ化させる前記命令は、前記ビデオコーダに、前記ＳＥＩメッセージにおける前記複数のＳＰＳの前記指示に基づいて、前記複数のＳＰＳをアクティブ化させる命令を備え、前記ビデオコーダに、前記１つまたは複数のＳＰＳに基づいて、アクセスユニットの前記ビデオデータをコーディングさせる前記命令は、前記ビデオコーダに、前記複数のＳＰＳに基づいて、前記アクセスユニットの前記ビデオデータをコーディングさせる命令を備える、Ｃ７０に記載のコンピュータ可読記憶媒体。
[Ｃ７２]  前記ビデオデータは、複数のレイヤまたは複数のビューのうちの少なくとも１つを備え、
前記複数のＳＰＳの各々は、前記複数のレイヤまたは複数のビューのうちのそれぞれの１つまたは複数に関連付けられ、
前記ビデオコーダに、前記複数のＳＰＳに基づいて、前記ビデオデータをコーディングさせる前記命令は、前記ビデオコーダに、前記レイヤまたはビューの各々に関して、前記レイヤまたはビューに関連する前記ＳＰＳに基づいて、前記レイヤまたはビューの前記ビデオデータをコーディングさせる命令を備える、Ｃ７１に記載のコンピュータ可読記憶媒体。
[Ｃ７３]  前記ＳＥＩメッセージはアクティブパラメータセットＳＥＩメッセージを備える、Ｃ７０に記載のコンピュータ可読記憶媒体。
[Ｃ７４]  前記ＳＥＩメッセージはバッファリング期間ＳＥＩメッセージを備える、Ｃ７０に記載のコンピュータ可読記憶媒体。
[Ｃ７５]  前記ビデオコーダに、前記ビットストリームをコーディングさせる前記命令は、前記ビデオコーダに、前記ビットストリームを復号させる命令を備え、前記ビデオコーダに、前記ビデオデータをコーディングさせる前記命令は、前記ビデオコーダに、前記ビデオデータを復号させる命令を備える、Ｃ７０に記載のコンピュータ可読記憶媒体。
[Ｃ７６]  前記ビデオコーダに、前記ビットストリームをコーディングさせる前記命令は、前記ビデオコーダに、前記ビットストリームを符号化させる命令を備え、前記ビデオコーダに、前記ビデオデータをコーディングさせる前記命令は、前記ビデオコーダに、前記ビデオデータを符号化させる命令を備える、Ｃ７０に記載のコンピュータ可読記憶媒体。